(57)【要約】【課題】回路規模の増大を抑えつつ精度良くフィルタの通過帯域外の周波数成分を遮断するデジタル放送受信装置を提供する。【解決手段】入力信号を第１の周波数帯域の信号に周波数変換する第１の周波数変換部１２０と、通過帯域外の周波数成分を遮断するフィルタ部１３０と、通過帯域外の周波数成分が遮断された信号を第２の周波数帯域に周波数変換する第２の周波数変換部１４０と、第２の周波数帯域の信号を通過帯域と一致する第３の周波数帯域の信号に変換する第３の周波数変換部１５０と、第３の周波数変換部１５０が周波数変換するために用いる信号を発振する数値制御発振器１６０と、数値制御発振器１６０が発振する信号の発振周波数と、第２の周波数帯域から通過帯域と一致する第３の周波数帯域に周波数変換するために用いる信号の周波数との周波数誤差を検出して誤差信号を出力する検出部１７０とを備える。【選択図】  図２
2009105558.tif 000002
【特許請求の範囲】
【請求項１】
入力信号に対して所定の周波数成分を遮断する信号処理装置において、
上記入力信号を第１の周波数帯域の信号に周波数変換する第１の変換手段と、
上記第１の変換手段により周波数変換された第１の周波数帯域の信号に対して、所定の通過帯域外の周波数成分を遮断するフィルタと、
上記フィルタにより通過帯域外の周波数成分が遮断された信号を、上記第１の周波数帯域から第２の周波数帯域に周波数変換する第２の変換手段と、
上記第２の変換手段により周波数変換された第２の周波数帯域の信号を、上記通過帯域と一致する第３の周波数帯域の信号に変換する第３の変換手段と、
上記第３の変換手段が周波数変換するために用いる信号を発振する発振手段と、
上記発振手段が発振する信号の発振周波数と、上記第２の周波数帯域から上記通過帯域と一致する第３の周波数帯域に周波数変換するために用いる信号の周波数との周波数誤差を検出して、該周波数誤差を示す誤差信号を出力する検出手段とを備え、
上記発振手段は、上記検出手段により出力された誤差信号に応じて発振周波数が制御され、上記第２の周波数帯域を上記通過帯域と一致する第３の周波数帯域に周波数変換するために用いる信号を発振し、
上記第１の変換手段は、上記検出手段から出力された誤差信号に応じて制御され、上記入力信号を、上記通過帯域と一致する第１の周波数帯域の信号に周波数変換し、
上記第２の変換手段は、上記検出手段から出力され上記フィルタの処理にかかる遅延時間分遅延させた誤差信号に応じて制御され、該フィルタにより上記通過帯域外の周波数成分が遮断された信号を、上記第１の変換手段により該通過帯域に一致する周波数帯域から上記第２の周波数帯域に周波数変換することを特徴とする信号処理装置。
【請求項２】
上記入力信号は、所定の局部発振器により発振された信号を用いて中間周波数帯域に周波数変換されたデジタル放送信号であり、
上記フィルタの通過帯域は、上記中間周波数帯域に対するベースバンドであり、
上記第１の変換手段は、上記検出手段から出力された誤差信号に応じて周波数を制御した信号を発振する発振器と、該発振器で発振された信号を用いて該中間周波数帯域のデジタル放送信号を上記ベースバンドと一致する第１の周波数帯域の信号に直交復調する直交復調器とを有し、
上記フィルタは、上記第１の変換手段により直交復調された信号に対して、上記ベースバンドより高い周波数帯域の周波数成分を遮断し、
上記第２の変換手段は、上記検出手段から出力された誤差信号を上記フィルタの処理にかかる遅延時間分遅延させる遅延器と、該遅延器により遅延させた誤差信号に応じて周波数を制御した信号を発振する発振器と、該発振器で発振された信号を用いて該フィルタによってベースバンドより高い周波数帯域の周波数成分が遮断された信号を上記中間周波数帯域と一致する第２の周波数帯域の信号に直交変調する直交変調器とを有し、
上記第３の変換手段は、上記第２の変換手段により直交変調された中間周波数帯域の信号を直交復調する直交復調器と、上記発振手段により発振された信号を用いて該直交復調器により直交復調された信号を上記ベースバンドと一致する第３の周波数帯域の信号に周波数変換する周波数変換器とを有し、
上記検出手段は、上記第３の変換手段により周波数変換された第３の周波数帯域の信号で示される信号点と上記デジタル放送信号で送信された信号点との位相誤差を検出する位相誤差検出器と、該位相誤差検出器による検出結果をフィルタリングして上記誤差信号を出力するループフィルタとを有することを特徴とする請求項１記載の信号処理装置。
【請求項３】
上記入力信号は、所定の局部発振器により発振された信号により中間周波数帯域に周波数変換されたデジタル放送信号であり、
上記フィルタの通過帯域は、上記中間周波数帯域に対するベースバンドであり、
上記第１の変換手段は、上記検出手段から出力された誤差信号に応じて制御した信号を発振する発振器と、該発振器で発振された信号を用いて、上記中間周波数帯域のデジタル放送信号を上記ベースバンドと一致する第１の周波数帯域の信号に直交復調する直交復調器とを有し、
上記フィルタは、上記第１の変換手段により直交復調された信号に対して、上記ベースバンドより高い周波数帯域の周波数成分を遮断し、
上記第２の変換手段は、上記検出手段から出力された誤差信号を上記フィルタの処理にかかる遅延時間分遅延させる遅延器と、該遅延器により遅延させた誤差信号に応じて制御した信号を発振する発振器と、該発振器で発振された信号を用いて該フィルタにより上記ベースバンドより高い周波数帯域の周波数成分が遮断された信号を、該ベースバンドに対して該誤差信号が示す周波数誤差分高い上記第２の周波数帯域の信号に周波数変換する周波数変換器とを有し、
上記第３の変換手段は、上記第２の変換手段により周波数変換された第２の周波数帯域の信号に対して上記デジタル放送信号のクロック周期に同期させる同期処理手段と、上記発振手段により発振された信号を用いて、該同期手段によりクロック周期に同期した信号を上記ベースバンドの信号に周波数変換する周波数変換器とを有し、
上記検出手段は、上記第３の変換手段により周波数変換された上記ベースバンドの信号で示される信号点と上記デジタル放送信号で送信された信号点との位相誤差を検出する位相誤差検出器と、該位相誤差検出器による検出結果をフィルタリングして上記誤差信号を出力するループフィルタとを有することを特徴とする請求項１記載の信号処理装置。
【請求項４】
入力信号を第１の周波数帯域の信号に周波数変換する第１の変換手段と、
上記第１の変換手段により周波数変換された第１の周波数帯域の信号に対して、所定の通過帯域外の周波数成分を遮断するフィルタと、
上記フィルタにより通過帯域外の周波数成分が遮断された信号を、上記第１の周波数帯域から第２の周波数帯域に周波数変換する第２の変換手段と、
上記第２の変換手段により周波数変換された第２の周波数帯域の信号を、上記通過帯域と一致する第３の周波数帯域の信号に変換する第３の変換手段と、
上記第３の変換手段が周波数変換するために用いる信号を発振する発振手段と、
上記発振手段が発振する信号の発振周波数と、上記第２の周波数帯域から上記通過帯域と一致する第３の周波数帯域に周波数変換するために用いる信号の周波数との周波数誤差を検出して、該周波数誤差を示す誤差信号を出力する検出手段とを備える信号処理装置の制御方法において、
上記発振手段は、上記検出手段により出力された誤差信号に応じて発振周波数が制御され、上記第２の周波数帯域を上記通過帯域と一致する第３の周波数帯域に周波数変換するために用いる信号を発振し、
上記第１の変換手段は、上記検出手段から出力された誤差信号に応じて制御され、上記入力信号を、上記通過帯域と一致する第１の周波数帯域の信号に周波数変換し、
上記第２の変換手段は、上記検出手段から出力され上記フィルタの処理にかかる遅延時間分遅延させた誤差信号に応じて制御され、該フィルタにより上記通過帯域外の周波数成分が遮断された信号を、上記第１の変換手段により該通過帯域に一致する周波数帯域から上記第２の周波数帯域に周波数変換することを特徴とする信号処理装置の制御方法。
【請求項５】
直交変調されたデジタル放送波を受信する受信手段と、
上記受信手段により受信された信号を、中間周波数帯域に変換する中間周波数変換手段と、
上記中間周波数変換手段により周波数変換された中間周波数帯域の信号を直交復調する直交復調手段と、
上記直交復調手段により直交復調された信号を、第１の周波数帯域の信号に周波数変換する第１の変換手段と、
上記第１の変換手段により周波数変換された第１の周波数帯域の信号に対して、ベースバンドより高い周波数帯域の周波数成分を遮断するフィルタと、
上記フィルタによりベースバンドより高い周波数帯域の周波数成分が遮断された信号を、上記直交復調手段により周波数変換された周波数帯域に一致する第２の周波数帯域の信号に周波数変換する第２の変換手段と、
上記第２の変換手段により周波数変換された第２の周波数帯域の信号を、上記ベースバンドと一致する第３の周波数帯域の信号に変換する第３の変換手段と、
上記第３の変換手段が周波数変換するために用いる信号を発振する発振手段と、
上記発振手段が発振する信号の発振周波数と、上記第３の変換手段が上記第２の周波数帯域の信号を上記ベースバンドに一致する第３の周波数帯域の信号に周波数変換するために用いる信号の周波数との誤差を検出して、該誤差を示す誤差信号を出力する検出手段とを備え、
上記発振手段は、上記検出手段により出力された誤差信号に応じて制御され、上記第２の周波数帯域の信号を上記ベースバンドと一致する第３の周波数帯域の信号に周波数変換するために用いる信号を発振し、
上記第１の変換手段は、上記検出手段から出力された誤差信号に応じて制御され、上記入力信号を、上記ベースバンドと一致する第１の周波数帯域の信号に周波数変換し、
上記第２の変換手段は、上記検出手段から出力され上記フィルタの処理にかかる遅延時間分遅延させた誤差信号に応じて制御され、該フィルタによりベースバンドより高い周波数帯域の周波数成分が遮断された信号を、該ベースバンドに一致する周波数帯域から上記第２の周波数帯域に周波数変換することを特徴とするデジタル放送波受信装置。
【請求項６】
直交変調されたデジタル放送波を受信する受信手段と、
上記受信手段により受信された信号を、中間周波数帯域に変換する中間周波数変換手段と、
上記中間周波数変換手段により周波数変換された中間周波数帯域の信号を直交復調する直交復調手段と、
上記直交復調手段により直交復調された信号を、第１の周波数帯域の信号に周波数変換する第１の変換手段と、
上記第１の変換手段により周波数変換された第１の周波数帯域の信号に対して、ベースバンドより高い周波数帯域の周波数成分を遮断するフィルタと、
上記フィルタによりベースバンドより高い周波数帯域の周波数成分が遮断された信号を、上記直交復調手段により周波数変換された周波数帯域に一致する第２の周波数帯域の信号に周波数変換する第２の変換手段と、
上記第２の変換手段により周波数変換された第２の周波数帯域の信号を、上記ベースバンドと一致する第３の周波数帯域の信号に変換する第３の変換手段と、
上記第３の変換手段が周波数変換するために用いる信号を発振する発振手段と、
上記発振手段が発振する信号の発振周波数と、上記第３の変換手段が上記第２の周波数帯域の信号を上記ベースバンドに一致する第３の周波数帯域の信号に周波数変換するために用いる信号の周波数との誤差を検出して、該誤差を示す誤差信号を出力する検出手段とを備えるデジタル放送受信装置の制御方法において、
上記発振手段は、上記検出手段により出力された誤差信号に応じて制御され、上記第２の周波数帯域の信号を上記ベースバンドと一致する第３の周波数帯域の信号に周波数変換するために用いる信号を発振し、
上記第１の変換手段は、上記検出手段から出力された誤差信号に応じて制御され、上記入力信号を、上記ベースバンドと一致する第１の周波数帯域の信号に周波数変換し、
上記第２の変換手段は、上記検出手段から出力され上記フィルタの処理にかかる遅延時間分遅延させた誤差信号に応じて制御され、該フィルタによりベースバンドより高い周波数帯域の周波数成分が遮断された信号を、該ベースバンドに一致する周波数帯域から上記第２の周波数帯域に周波数変換することを特徴とするデジタル放送波受信装置の制御方法。
【発明の詳細な説明】
【技術分野】
【０００１】
本発明は、入力信号に対して、所定の周波数成分を遮断する信号処理装置、及び、この信号処理装置が組み込まれたデジタル放送波を受信するデジタル放送受信装置に関するものである。
【背景技術】
【０００２】
デジタル放送波を受信するデジタル放送受信装置においては、隣接チャンネルの干渉を避けるため、バンドパスフィルタまたはローパスフィルタを用いて帯域外信号を遮断することが必要である。特にデジタル放送受信装置においては、隣接チャンネル妨害への耐性を高めるため、遮断フィルタの通過帯域を狭める必要がある。
【０００３】
しかしながら、通過帯域を狭めた場合には、信号を発振させる発振器の性能に起因して受信信号が所望の周波数帯域から大きくずれて周波数変換されると、所望の受信信号成分が遮断フィルタによって遮断されてしまい、正確に復調処理を行うことができないという問題があった。
【０００４】
この問題を解決するため、特許文献１には、遮断フィルタの出力から周波数ずれを検出し、ずれ量を遮断フィルタの前段の局部発振器にフィードバックすることで周波数ずれによる劣化を防ぐとともに、検出した周波数ずれ量に応じて遮断フィルタの帯域幅を適応的に変化させることで、追従可能な周波数範囲を広げる受信機が記載されている。
【０００５】
また、特許文献２には、局部発振器から発振される信号のオフセット周波数を検出し、この検出したオフセット周波数を用いて遮断フィルタの係数を適応的に変更するデジタル信号処理方法が記載されている。
【０００６】
【特許文献１】特開平１０―３１３３４４号公報
【特許文献２】特開２００１―１２７８１８号公報
【発明の開示】
【発明が解決しようとする課題】
【０００７】
上述した特許文献１に記載された受信機では、局部発振器の発振周波数の調整処理、遮断フィルタによるフィルタリング処理、フィルタリングされた信号に基づいた周波数ずれ検出、検出結果を用いた局部発振器の発振周波数の調整、という順番でフィードバック系が構成されているため、オフセット周波数の調整から周波数ずれの検出までの遅延時間が長くなる。したがって、この受信機では、周波数ずれ検出の方法によっては、引き込み可能な周波数範囲が狭くなることや、発振周波数の時間変化に対する追従性能が劣化するという問題点があった。
【０００８】
また上述した特許文献２に記載されたデジタル信号処理方法では、オフセット周波数の変動に応じてフィルタ係数を計算し続ける必要があるのに加え、可変複素係数の適応型のデジタルフィルタが必要なため、ハードウェアで実現した場合の回路規模が大きくなってしまうという問題点があった。
【０００９】
本発明は、このような実情に鑑みて提案されたものであり、回路規模の増大を抑えつつ、フィルタの通過帯域に対する入力信号の周波数帯域のずれに追従して精度良くフィルタの通過帯域外の周波数成分を遮断する信号処理装置、信号処理装置の制御方法、デジタル放送受信装置、及び、デジタル放送受信装置の制御方法を提供することを目的とする。
【課題を解決するための手段】
【００１０】
上述した課題を解決するための手段として、本発明に係る信号処理装置は、入力信号に対して所定の周波数成分を遮断する信号処理装置において、入力信号を第１の周波数帯域の信号に周波数変換する第１の変換手段と、第１の変換手段により周波数変換された第１の周波数帯域の信号に対して、所定の通過帯域外の周波数成分を遮断するフィルタと、フィルタにより通過帯域外の周波数成分が遮断された信号を、第１の周波数帯域から第２の周波数帯域に周波数変換する第２の変換手段と、第２の変換手段により周波数変換された第２の周波数帯域の信号を、通過帯域と一致する第３の周波数帯域の信号に変換する第３の変換手段と、第３の変換手段が周波数変換するために用いる信号を発振する発振手段と、発振手段が発振する信号の発振周波数と、第２の周波数帯域から通過帯域と一致する第３の周波数帯域に周波数変換するために用いる信号の周波数との周波数誤差を検出して、周波数誤差を示す誤差信号を出力する検出手段とを備え、発振手段は、検出手段により出力された誤差信号に応じて発振周波数が制御され、第２の周波数帯域を通過帯域と一致する第３の周波数帯域に周波数変換するために用いる信号を発振し、第１の変換手段は、検出手段から出力された誤差信号に応じて制御され、入力信号を、通過帯域と一致する第１の周波数帯域の信号に周波数変換し、第２の変換手段は、検出手段から出力されフィルタの処理にかかる遅延時間分遅延させた誤差信号に応じて制御され、フィルタにより通過帯域外の周波数成分が遮断された信号を、第１の変換手段により通過帯域に一致する周波数帯域から第２の周波数帯域に周波数変換することを特徴とする。
【００１１】
また、本発明に係る信号処理装置の制御方法は、入力信号を第１の周波数帯域の信号に周波数変換する第１の変換手段と、第１の変換手段により周波数変換された第１の周波数帯域の信号に対して、所定の通過帯域外の周波数成分を遮断するフィルタと、フィルタにより通過帯域外の周波数成分が遮断された信号を、第１の周波数帯域から第２の周波数帯域に周波数変換する第２の変換手段と、第２の変換手段により周波数変換された第２の周波数帯域の信号を、通過帯域と一致する第３の周波数帯域の信号に変換する第３の変換手段と、第３の変換手段が周波数変換するために用いる信号を発振する発振手段と、発振手段が発振する信号の発振周波数と、第２の周波数帯域から通過帯域と一致する第３の周波数帯域に周波数変換するために用いる信号の周波数との周波数誤差を検出して、周波数誤差を示す誤差信号を出力する検出手段とを備える信号処理装置の制御方法において、発振手段は、検出手段により出力された誤差信号に応じて発振周波数が制御され、第２の周波数帯域を通過帯域と一致する第３の周波数帯域に周波数変換するために用いる信号を発振し、第１の変換手段は、検出手段から出力された誤差信号に応じて制御され、入力信号を、通過帯域と一致する第１の周波数帯域の信号に周波数変換し、第２の変換手段は、検出手段から出力されフィルタの処理にかかる遅延時間分遅延させた誤差信号に応じて制御され、フィルタにより通過帯域外の周波数成分が遮断された信号を、第１の変換手段により通過帯域に一致する周波数帯域から第２の周波数帯域に周波数変換することを特徴とする。
【００１２】
また、本発明に係るデジタル放送受信装置は、直交変調されたデジタル放送波を受信する受信手段と、受信手段により受信された信号を、中間周波数帯域に変換する中間周波数変換手段と、中間周波数変換手段により周波数変換された中間周波数帯域の信号を直交復調する直交復調手段と、直交復調手段により直交復調された信号を、第１の周波数帯域の信号に周波数変換する第１の変換手段と、第１の変換手段により周波数変換された第１の周波数帯域の信号に対して、ベースバンドより高い周波数帯域の周波数成分を遮断するフィルタと、フィルタによりベースバンドより高い周波数帯域の周波数成分が遮断された信号を、直交復調手段により周波数変換された周波数帯域に一致する第２の周波数帯域の信号に周波数変換する第２の変換手段と、第２の変換手段により周波数変換された第２の周波数帯域の信号を、ベースバンドと一致する第３の周波数帯域の信号に変換する第３の変換手段と、第３の変換手段が周波数変換するために用いる信号を発振する発振手段と、発振手段が発振する信号の発振周波数と、第３の変換手段が第２の周波数帯域の信号をベースバンドに一致する第３の周波数帯域の信号に周波数変換するために用いる信号の周波数との誤差を検出して、誤差を示す誤差信号を出力する検出手段とを備え、発振手段は、検出手段により出力された誤差信号に応じて制御され、第２の周波数帯域の信号をベースバンドと一致する第３の周波数帯域の信号に周波数変換するために用いる信号を発振し、第１の変換手段は、検出手段から出力された誤差信号に応じて制御され、入力信号を、ベースバンドと一致する第１の周波数帯域の信号に周波数変換し、第２の変換手段は、検出手段から出力されフィルタの処理にかかる遅延時間分遅延させた誤差信号に応じて制御され、フィルタによりベースバンドより高い周波数帯域の周波数成分が遮断された信号を、ベースバンドに一致する周波数帯域から第２の周波数帯域に周波数変換することを特徴とする。
【００１３】
また、本発明に係るデジタル放送受信装置の制御方法は、直交変調されたデジタル放送波を受信する受信手段と、受信手段により受信された信号を、中間周波数帯域に変換する中間周波数変換手段と、中間周波数変換手段により周波数変換された中間周波数帯域の信号を直交復調する直交復調手段と、直交復調手段により直交復調された信号を、第１の周波数帯域の信号に周波数変換する第１の変換手段と、第１の変換手段により周波数変換された第１の周波数帯域の信号に対して、ベースバンドより高い周波数帯域の周波数成分を遮断するフィルタと、フィルタによりベースバンドより高い周波数帯域の周波数成分が遮断された信号を、直交復調手段により周波数変換された周波数帯域に一致する第２の周波数帯域の信号に周波数変換する第２の変換手段と、第２の変換手段により周波数変換された第２の周波数帯域の信号を、ベースバンドと一致する第３の周波数帯域の信号に変換する第３の変換手段と、第３の変換手段が周波数変換するために用いる信号を発振する発振手段と、発振手段が発振する信号の発振周波数と、第３の変換手段が第２の周波数帯域の信号をベースバンドに一致する第３の周波数帯域の信号に周波数変換するために用いる信号の周波数との誤差を検出して、誤差を示す誤差信号を出力する検出手段とを備えるデジタル放送受信装置の制御方法において、発振手段は、検出手段により出力された誤差信号に応じて制御され、第２の周波数帯域の信号をベースバンドと一致する第３の周波数帯域の信号に周波数変換するために用いる信号を発振し、第１の変換手段は、検出手段から出力された誤差信号に応じて制御され、入力信号を、ベースバンドと一致する第１の周波数帯域の信号に周波数変換し、第２の変換手段は、検出手段から出力されフィルタの処理にかかる遅延時間分遅延させた誤差信号に応じて制御され、フィルタによりベースバンドより高い周波数帯域の周波数成分が遮断された信号を、ベースバンドに一致する周波数帯域から第２の周波数帯域に周波数変換することを特徴とする。
【発明の効果】
【００１４】
本発明によれば、第３の変換手段から出力される信号に基づいた検出手段による誤差信号の検出、発振手段による誤差信号に応じた第３の変換手段で用いる信号の周波数の制御という順番でフィードバック系が構成されており、このフィードバック系に通過帯域外の周波数成分を遮断するフィルタリング処理が含まれていないので、フィードバック制御にかかる遅延を短くしつつ、検出された周波数誤差に応じてフィルタに入力する信号の周波数帯域を制御するため、入力信号の周波数帯域のずれに追従して精度良く通過帯域外の周波数成分を遮断することができる。
【００１５】
また、本発明によれば、通過帯域外の周波数成分を遮断するフィルタが、固定実数係数フィルタで実現可能であるため、可変複素係数でフィルタを構成する場合に比べて、回路規模の増大を抑制することができる。
【発明を実施するための最良の形態】
【００１６】
以下、本発明を実施するための最良の形態について、図面を参照しながら詳細に説明する。
【００１７】
本発明が適用された信号処理装置は、入力信号に対して所定の周波数成分を遮断するものであり、例えば図１に示すような変調方式がシングルキャリアのＢＳ（Broadcasting Satellite）デジタル放送波のＲＦ（Radio Frequency）信号を受信するデジタル放送受信装置１に組み込まれる。
【００１８】
このデジタル放送受信装置１は、伝送路からＲＦ信号を受信するアンテナ１１と、ＲＦ信号を局部発振器１２ａにより発振される信号を用いて中間周波数（Intermediate Frequency: IF）の信号に変換するＩＦ変換部１２と、ＩＦ信号を基底周波数帯域（以下、ベースバンドという。）に周波数変換してＩ軸成分とＱ軸成分とからなるベースバンド信号に復調する直交復調部１３と、直交復調されたベースバンド信号をデジタル放送信号のクロック周期に同期させるクロック同期部１４と、ベースバンド信号の波形等化を行う波形等化器１５と、ベースバンド信号に誤り訂正処理を施す誤り訂正部１６と、ビットストリームに対して復号処理を施す復号処理部１７とを備える。
【００１９】
アンテナ１１は、伝送路からＢＳデジタル放送波のＲＦ信号を受信して、受信したＲＦ信号をＩＦ変換部１２に供給する。
【００２０】
ＩＦ変換部１２は、アンテナ１１から供給されるＲＦ信号を、局部発振器１２ａにより発振されるＩＦ周波数の信号を用いてＩＦ信号に周波数変換する。そして、ＩＦ変換部１２は、ＩＦ信号を直交復調部１３に供給する。なお、局部発振器１２ａにより発振される信号の発振周波数は、隣接チャンネルの周波数成分を後段で遮断するフィルタリング処理を行うためＩＦ周波数と正確に一致させる必要があるが、後述するように周波数誤差を含んでいることを前提として説明する。
【００２１】
直交復調部１３は、ＩＦ変換部１２から供給されるＩＦ信号を直交復調して、Ｉ軸成分とＱ軸成分とからなるベースバンド信号に周波数変換する。そして、直交復調部１３は、Ｉ軸成分とＱ軸成分とからなるベースバンド信号をクロック同期部１４に供給する。なお、具体的な直交復調部１３の構成に関しては後述する。
【００２２】
クロック同期部１４は、直交復調部１３から供給されるベースバンド信号に対してデジタル放送信号のクロック周期に同期させるため、１シンボル周期と同期させるための送信クロックを再生する。そして、クロック同期部１４は、送信クロックと同期が図られたベースバンド信号を波形等化器１５に供給する。
【００２３】
波形等化器１５は、クロック同期部１４から供給されるベースバンド信号の信号波形を等化をして、波形等化したベースバンド信号を誤り訂正部１６に供給する。具体的に、波形等化器１５は、クロック同期部１４で再生された送信クロックに基づいきシンボル単位で等化処理を施す。
【００２４】
誤り訂正部１６は、波形等化器１５により波形等化されたベースバンド信号に対して、誤り訂正処理を施して、映像データ、音声データが多重化されているＭＰＥＧトランスポートストリームなどのビットストリームに変換して復号処理部１７に供給する。
【００２５】
復号処理部１７は、誤り訂正部１６から供給されるビットストリームから、映像データや音声データを復号する。誤り訂正部１６により復号された映像データは、所定の画像処理が施されてディスプレイなどに出力される。
【００２６】
以上のような構成からなるデジタル放送受信装置１において、以下では、直交復調部１３の構成とその動作に注目して説明する。
【００２７】
まず、直交復調部１３の第１の実施例を図２を参照して説明する。
【００２８】
第１の実施例に係る直交復調部１３は、上述したようにＩ軸成分及びＱ軸成分のからなるベースバンド信号を生成するとともに、ＩＦ信号に含まれる隣接チャンネルの周波数成分を遮断するフィルタリング処理を行う処理部であって、Ａ／Ｄ変換部１１０と、第１の周波数変換部１２０と、フィルタ部１３０と、第２の周波数変換部１４０と、第３の周波数変換部１５０と、数値制御発振器１６０と、検出部１７０と、加算器１８０とを備える。
【００２９】
Ａ／Ｄ変換部１１０は、ＩＦ変換部１２から供給されるＩＦ信号をサンプリングしてデジタルのＩＦ信号に変換する。そして、Ａ／Ｄ変換部１１０は、デジタルのＩＦ信号を第１の周波数変換部１２０に供給する。
【００３０】
第１の周波数変換部１２０は、後述する誤差信号に応じて制御され、Ａ／Ｄ変換部１１０から供給されるデジタルのＩＦ信号をベースバンドに一致する第１の周波数帯域の信号に変換する。具体的に、第１の周波数変換部１２０は、数値制御発振器（Numerically Controlled Oscillators: ＮＣＯ）１２１と、直交復調器１２２とを備えている。また、第１の周波数変換部１２０では、後述するＩＦ周波数が加算された周波数誤差を示す誤差信号に応じて、フィルタ部１３０の通過帯域と一致する第１の周波数帯域の信号を出力するため、数値制御発振器１２１及び直交復調器１２２とが次のように動作する。
【００３１】
数値制御発振器１２１は、後述する加算器１８０から供給される誤差信号に応じて発振周波数を制御して信号を発振する。そして、数値制御発振器１２１は、発振した信号を直交復調器１２２に出力する。
【００３２】
直交復調器１２２は、数値制御発振器１２１で発振された信号を用いて、中間周波数帯域のＩＦ信号を直交復調して、フィルタ部１３０の通過帯域と一致する第１の周波数帯域の信号に周波数変換する。
【００３３】
具体的に、直交復調器１２２では、数値制御発振器１２１で発振された信号と、この信号を９０度移相した信号とのそれぞれを、Ａ／Ｄ変換部１１０から供給されるＩＦ信号に合成してＩ軸成分とＱ軸成分とからなる第１の周波数帯域の信号を生成してフィルタ部１３０に供給する。
【００３４】
フィルタ部１３０は、第１の周波数変換部１２０から出力された第１の周波数帯域の信号に対して、隣接チャンネルの信号成分を遮断するためベースバンドを通過帯域とし、この通過帯域外、すなわちベースバンドより高い周波数帯域の周波数成分を遮断して、第２の周波数変換部１４０に供給する。具体的に、フィルタ部１３０は、第１の周波数帯域の信号のうち、Ｉ軸成分に対してフィルタ処理を施すローパスフィルタ１３１と、Ｑ軸成分に対してフィルタ処理を施すローパスフィルタ１３２とからなる。
【００３５】
第２の周波数変換部１４０は、誤差信号に応じて制御され、フィルタ部１３０から供給される通過帯域外の周波数成分が遮断された信号を、第１の周波数帯域から第２の周波数帯域に周波数変換して、第３の周波数変換部１５０に供給する。
【００３６】
具体的に、第２の周波数変換部１４０は、加算器１８０から供給される誤差信号に応じて、フィルタ部１３０により通過帯域外の周波数成分が遮断された信号を、第１の周波数変換部１２０により通過帯域と一致するように制御された第１の周波数帯域から第２の周波数帯域に周波数変換する処理部であって、遅延器１４１と乗算器１４２と数値制御発振器１４３と、直交変調器１４４とを備える。
【００３７】
遅延器１４１は、加算器１８０から供給された誤差信号をフィルタ部１３０の処理にかかる遅延時間分遅延させて、乗算器１４２に供給する。このように誤差信号を遅延させるのは、第２の周波数変換部１４０に入力される信号の周波数帯域が、遅延時間前の誤差信号に応じて第１の周波数変換部１２０によって周波数変換された第１の周波数帯域であるからである。
【００３８】
乗算器１４２は、第１の周波数帯域から中間周波数帯域に周波数変換するため、遅延器１４１から供給される誤差信号が示す周波数の値に（−１）を乗じて、この乗算処理を施した周波数を示す誤差信号を数値制御発振器１４３に供給する。
【００３９】
数値制御発振器１４３は、乗算器１４２から供給される誤差信号に応じて周波数を制御した信号を発振する。そして、数値制御発振器１４３は、発振した信号を直交変調器１４４に供給する。
【００４０】
直交変調器１４４は、数値制御発振器１４３で発振された信号を用いて、フィルタ部１３０により通過帯域外の周波数成分が遮断された信号を、中間周波数帯域と一致する第２の周波数帯域の信号に直交変調して、直交復調した信号を第３の周波数変換部１５０に供給する。
【００４１】
第３の周波数変換部１５０は、第２の周波数変換部１４０により周波数変換された第２の周波数帯域の信号を、上述したフィルタ部１３０に係る通過帯域と一致する第３の周波数帯域の信号に変換する処理を行うため、直交復調器１５１と周波数変換器１５２とを備える。
【００４２】
直交復調器１５１は、第２の周波数変換部１４０により直交変調された中間周波数帯域の信号を直交復調して周波数変換器１５２に供給する。
【００４３】
周波数変換器１５２は、後述する数値制御発振器１６０により発振された信号を用いて、直交復調器１５１により直交復調された信号をフィルタ部１３０に係る通過帯域と一致する第３の周波数帯域の信号に周波数変換する。そして、周波数変換器１５２は、第３の周波数帯域の信号を、検出部１７０及びクロック同期部１４に供給する。
【００４４】
数値制御発振器１６０は、第３の周波数変換部１５０が周波数変換するために用いる信号を発振する発振器である。具体的に、数値制御発振器１６０は、検出部１７０により出力された誤差信号に応じて制御され、第２の周波数帯域を通過帯域と一致する第３の周波数帯域に周波数変換するために用いる信号を発振する。
【００４５】
検出部１７０は、数値制御発振器１６０が発振する信号の発振周波数と、第２の周波数帯域からフィルタ部１３０の通過帯域と一致する第３の周波数帯域に周波数変換するために用いる信号の周波数との誤差を検出して、この周波数誤差を示す誤差信号を出力する。
【００４６】
具体的に、検出部１７０では、周波数誤差を検出して誤差信号を出力するため、位相誤差検出器１７１とループフィルタ１７２とを備える。
【００４７】
位相誤差検出器１７１は、第３の周波数変換部１５０により周波数変換された第３の周波数帯域の信号で示される信号点とデジタル放送信号で送信された信号点との位相誤差を検出する。そして、位相誤差検出器１７１は、この検出結果をループフィルタ１７２に供給する。
【００４８】
ループフィルタ１７２は、位相誤差検出器１７１による検出結果をフィルタリングして誤差信号を出力する。
【００４９】
加算器１８０は、検出部１７０から出力される誤差信号が示す周波数誤差に、ＩＦ周波数を加算する。そして、加算器１８０は、この加算処理を施した誤差信号を第１の周波数変換部１２０及び第２の周波数変換部１４０に供給する。これは、中間周波数帯域とベースバンドとの間で周波数帯域の変換を行う第１の周波数変換部１２０及び第２の周波数変換部１４０のそれぞれが、ＲＦ信号から中間周波数帯域に変換するために用いる局部発振器１２ａの発振周波数、すなわちＩＦ周波数に関する情報が必要だからである。
【００５０】
以上のような構成からなる第１の実施例に係る直交復調部１３では、例えば図２に示すような処理を行うことによって、仮にＩＦ変換部１２から供給されるＩＦ信号の中心周波数がＩＦ周波数からずれていても、検出部１７０で検出された周波数誤差に応じて、フィルタ部１３０に入力される信号の周波数帯域がベースバンドに一致するように制御することができる。これにより、直交復調部１３では、ＩＦ変換部１２からの入力信号に対して、ＩＦ信号の周波数帯域のずれに追従して精度良く通過帯域外の周波数成分を遮断することができる。
【００５１】
まず、第１の実施例に係る直交復調部１３には、ＩＦ信号がＩＦ変換部１２から供給される。ここで、ＩＦ周波数はＦｉｆである。しかしながら、直交復調部１３に供給されるＩＦ信号の中心周波数は、図３（Ａ）に示すように、局部発振器１２ａの発振誤差によって、Ｆｉｆ＋Δｆとなっているものとする。なお、図３の斜線で示される帯域は所望とする受信チャンネルの信号成分が含まれる周波数帯域である。
【００５２】
直交復調部１３では、検出部１７０が、周波数誤差Δｆを検出して、周波数誤差Δｆを示す誤差信号を出力することで、下記の処理が実現される。
【００５３】
直交復調部１３において、第１の周波数変換部１２０は、数値制御発振器１２１が、誤差信号に応じて発振周波数が−(Ｆｉｆ＋Δｆ)の信号を発振して、図３（Ｂ）に示すように、この発振された信号を用いて直交復調器１２２がベースバンドと一致する第１の周波数帯域に周波数変換する。
【００５４】
続いて、フィルタ部１３０は、第１の周波数変換部１２０によって第１の周波数帯域がベースバンドと一致するように周波数変換された信号に対して、図３（Ｃ）の点線で示される通過帯域外の周波数成分を遮断する。
【００５５】
続いて、第２の周波数変換部１４０は、数値制御発振器１４３が、誤差信号に応じて発振周波数がＦｉｆ＋Δｆの信号を発振し、図３（Ｄ）に示すように、この発振された信号を用いて直交変調器１４４がＩＦ信号の中間周波数帯域と一致する第２の周波数帯域に周波数変換する。
【００５６】
続いて、第３の周波数変換部１５０の直交復調器１５１は、ＩＦ信号のＩＦ周波数である−Ｆｉｆの信号を発振して、この信号を用いて図３（Ｅ）に示すようにベースバンドに対してΔｆ分ずれた周波数帯域の信号に直交復調する。
【００５７】
続いて、数値制御発振器１６０は、誤差信号に応じて発振周波数が−Δｆの信号を発振する。そして、この発振した信号を用いて、第３の周波数変換部１５０は、図３（Ｆ）に示すように、ベースバンドと一致する第３の周波数帯域に周波数変換する。
【００５８】
このようにして、第１の実施例に係る直交復調部１３では、第３の周波数変換部１５０から出力される信号に基づいた検出部１７０による誤差信号の検出、数値制御発振器１６０による誤差信号に応じた第３の周波数変換部１５０で用いる信号の周波数の制御という順番でフィードバック制御系が構成されており、このフィードバック系に通過帯域外の周波数成分を遮断するフィルタ部１３０のフィルタリング処理が含まれていないので、フィードバック制御にかかる遅延を短くしつつ、検出された周波数誤差に応じてフィルタ部１３０に入力される信号の周波数帯域を通過帯域と一致するように制御することができる。したがって、直交復調部１３では、ＩＦ信号の周波数帯域のずれに追従して精度良く通過帯域外の周波数成分を遮断した信号を後段のクロック同期部１４に供給することができる。
【００５９】
また、第１の実施例に係る直交復調部１３では、通過帯域外の周波数成分を遮断するフィルタ部１３０が、固定実数係数フィルタで実現可能であるため、可変複素係数でフィルタを構成する場合に比べ，回路規模の増大を抑制することができる。
【００６０】
次に、図４を参照して、第２の実施例に係る直交復調部２００について説明する。この直交復調部２００は、上述したクロック同期部１４に係る処理を行うとともに、隣接チャンネルの周波数成分を遮断して直交復調を行う処理部である。
【００６１】
具体的に、第２の実施例に係る直交復調部２００は、図４に示すように、Ａ／Ｄ変換部２１０と、第１の周波数変換部２２０と、フィルタ部２３０と、第２の周波数変換部２４０と、第３の周波数変換部２５０と、数値制御発振器２６０と、検出部２７０と、加算器２８０とを備える。
【００６２】
Ａ／Ｄ変換部２１０は、ＩＦ変換部１２から供給されるＩＦ信号をサンプリングしてデジタルのＩＦ信号に変換する。そして、Ａ／Ｄ変換部１１０は、デジタルのＩＦ信号を第１の周波数変換部２２０に供給する。
【００６３】
第１の周波数変換部２２０は、誤差信号に応じて制御され、Ａ／Ｄ変換部２１０から供給されるデジタルのＩＦ信号を第１の周波数帯域の信号に変換する処理部であって、数値制御発振器２２１と、直交復調器２２２とを備えている。また、第１の周波数変換部２２０では、後述する加算器２８０から供給されるＩＦ周波数が加算された誤差信号に応じて、フィルタ部２３０の通過帯域と一致する第１の周波数帯域の信号を出力するため、数値制御発振器２２１及び直交復調器２２２とが次のように動作する。
【００６４】
数値制御発振器２２１は、検出部２７０から出力され加算器２８０によって加算処理が施された誤差信号に応じて発振周波数を制御して信号を発振する。そして、数値制御発振器２２１は、発振した信号を直交復調器２２２に出力する。
【００６５】
直交復調器２２２は、数値制御発振器２２１で発振された信号を用いて、中間周波数帯域のＩＦ信号を直交復調して、フィルタの通過帯域と一致する第１の周波数帯域の信号に周波数変換する。
【００６６】
具体的に、直交復調器２２２では、数値制御発振器２２１で発振された信号と、この信号を９０度移相した信号とをそれぞれＡ／Ｄ変換部２１０から供給されるＩＦ信号に合成してＩ軸成分とＱ軸成分とからなる第１の周波数帯域の信号を生成してフィルタ部２３０に供給する。
【００６７】
フィルタ部２３０は、第１の周波数変換部２２０から供給される第１の周波数帯域の信号に対して、隣接チャンネルの信号成分を遮断するためベースバンドを通過帯域とし、この通過帯域外の周波数成分、すなわちベースバンドより高い周波数帯域の周波数成分を遮断して第２の周波数変換部２４０に供給する。具体的に、フィルタ部２３０は、第１のベースバンドの信号のうち、Ｉ軸成分に対してフィルタ処理を施すローパスフィルタ２３１と、Ｑ軸成分に対してフィルタ処理を施すローパスフィルタ２３２とを備える。
【００６８】
第２の周波数変換部２４０は、フィルタ部２３０から供給される通過帯域外の周波数成分が遮断された信号を、第１の周波数帯域から第２の周波数帯域に周波数変換して、第３の周波数変換部２５０に供給する。具体的に、第２の周波数変換部２４０は、フィルタ部２３０のフィルタ処理にかかる遅延時間分遅延させた誤差信号に応じて制御され、フィルタ部２３０により通過帯域外の周波数成分が遮断された信号を、第１の周波数変換部２２０により通過帯域と一致するように制御された第１のベースバンドから第２の周波数帯域に周波数変換するため、遅延器２４１と乗算器２４２と数値制御発振器２４３と、周波数変換器２４４とを備える。
【００６９】
遅延器２４１は、検出部２７０から出力された誤差信号をフィルタ部２３０の処理にかかる遅延時間分遅延させて乗算器２４２に供給する。このように誤差信号を遅延させるのは、第２の周波数変換部２４０に入力される信号の周波数帯域が、遅延時間前の誤差信号に応じて第１の周波数変換部２２０によって周波数変換された第１の周波数帯域であるからである。
【００７０】
乗算器２４２は、第１の周波数帯域に対して誤差信号が示す誤差周波数分高い周波数帯域に周波数変換するため、遅延器２４１から供給される誤差信号が示す周波数の値に（−１）を乗じて、この乗算処理を施した周波数を示す誤差信号を数値制御発振器２４３に供給する。
【００７１】
数値制御発振器２４３は、乗算器２４２から供給される誤差信号に応じて周波数を制御した信号を発振する。そして、数値制御発振器２４３は、発振した信号を周波数変換器２４４に供給する。
【００７２】
周波数変換器２４４は、数値制御発振器２４３で発振された信号を用いて、フィルタ部２３０により通過帯域外の周波数成分が遮断された信号を、第１の周波数帯域に対して誤差信号が示す誤差周波数分高い周波数帯域と一致する第２の周波数帯域の信号に周波数変換して、第２の周波数帯域の信号を第３の周波数変換部２５０に供給する。
【００７３】
第３の周波数変換部２５０は、第２の周波数変換部２４０により周波数変換された第２の周波数帯域の信号を、上述したフィルタ部２３０に係る通過帯域と一致する周波数帯域の信号に変換する処理を行うとともに上述した送信クロックとの同期を図る処理を行うため、クロック同期部２５１と周波数変換器２５２とを備える。
【００７４】
クロック同期部２５１は、第２の周波数変換部２４０から供給される第２の周波数帯域の信号に対してデジタル放送信号のクロック周期に同期させるため、１シンボル周期と同期させるための送信クロックを再生する。そして、クロック同期部２５１は、送信クロックと同期が図られた信号を周波数変換器２５２に供給する。
【００７５】
周波数変換器２５２は、後述する数値制御発振器２６０により発振された信号を用いて、クロック同期部２５１により送信クロックとの同期が図られた信号をフィルタ部２３０の通過帯域と一致する第３の周波数帯域の信号に周波数変換する。そして周波数変換器２５２は、第３の周波数帯域の信号を、検出部２７０及び波形等化器１５に供給する。
【００７６】
数値制御発振器２６０は、第３の周波数変換部２５０が周波数変換するために用いる信号を発振する発振器である。具体的に、数値制御発振器２６０は、検出部２７０により出力された誤差信号に応じて制御され、第２の周波数帯域を通過帯域と一致する周波数帯域に周波数変換するために用いる信号を発振する。
【００７７】
検出部２７０は、数値制御発振器２６０が発振する信号の発振周波数と、第２の周波数帯域からフィルタ部２３０の通過帯域と一致する周波数帯域に周波数変換するために用いる信号の周波数との周波数誤差を検出して、この周波数誤差を示す誤差信号を出力する。
【００７８】
具体的に、検出部２７０では、周波数誤差を検出して誤差信号を出力するため、位相誤差検出器２７１とループフィルタ２７２とを備えている。
【００７９】
位相誤差検出器２７１は、第３の周波数変換部２５０により周波数変換された第３の周波数帯域の信号で示される信号点とデジタル放送信号で送信された信号点との位相誤差を検出する。そして、位相誤差検出器２７１は、この検出結果をループフィルタ２７２に供給する。
【００８０】
ループフィルタ２７２は、位相誤差検出器２７１による検出結果をフィルタリングして誤差信号を出力する。
【００８１】
加算器２８０は、検出部２７０から出力される誤差信号が示す周波数誤差に、ＩＦ周波数を加算する。そして、加算器２８０は、この加算処理を施した誤差信号を第１の周波数変換部２２０に供給する。このような加算器２８０を行うのは、中間周波数帯域とベースバンドとの間で周波数帯域の変換を行う第１の周波数変換部２２０が、ＲＦ信号から中間周波数帯域に変換するために用いるＩＦ周波数が必要だからである。
【００８２】
以上のような構成からなる第２の実施例に係る直交復調部２００では、図５に示すような処理を行うことによって、仮にＩＦ変換部１２から供給されるＩＦ信号の中心周波数がＩＦ周波数に対してずれていても、検出部２７０で検出された周波数誤差に応じてフィルタ部２３０に入力される信号の周波数帯域をベースバンドと一致するように制御するため、ＩＦ信号の周波数帯域のずれに追従して精度良く通過帯域外の周波数成分を遮断して、送信クロックに同期したベースバンド信号を出力することができる。
【００８３】
まず、第２の実施例に係る直交復調部２００には、図５（Ａ）に示すようなＩＦ信号がＩＦ変換部１２から供給される。ここで、図５（Ａ）に示すように、ＩＦ信号は、その中心周波数であるＩＦ周波数がＦｉｆである。しかしながら、ＩＦ変換部１２から出力されるＩＦ信号の中心周波数は、局部発振器１２ａの発振誤差によりＦｉｆ＋Δｆであるものとする。なお、図５の斜線で示される帯域は所望とする受信チャンネルの信号成分が含まれる周波数帯域である。直交復調部２００では、検出部２７０が、この周波数誤差Δｆを検出して、周波数誤差Δｆを示す誤差信号を出力することで、下記の処理が実現される。
【００８４】
このような周波数誤差Δｆを含むＩＦ信号が供給される直交復調部２００において、第１の周波数変換部２２０は、数値制御発振器２２１が、誤差信号が示す情報に応じて発振周波数が−(Ｆｉｆ＋Δｆ)の信号を発振して、図５（Ｂ）に示すように、直交復調器２２２がフィルタ部１３０に係る通過帯域と一致する第１の周波数帯域に周波数変換する。
【００８５】
続いて、直交復調部１３において、フィルタ部２３０は、第１の周波数変換部２２０によって通過帯域と一致するように周波数変換された第１の周波数帯域の信号に対して、図５（Ｃ）の点線で示される通過帯域外の周波数成分を遮断する。
【００８６】
続いて、直交復調部２００において、第２の周波数変換部２４０は、数値制御発振器２４３が誤差信号が示す情報に応じて発振周波数Δｆの信号を発振して、図５（Ｄ）に示すように、この信号を用いて周波数変換器２４４がベースバンドに対してΔｆ分高い周波数帯域と一致する第２の周波数帯域の信号に周波数変換する。
【００８７】
続いて、数値制御発振器２６０は、誤差信号に応じて発振周波数が−Δｆの信号を発振する。そして、この発振した信号を用いて、第３の周波数変換部２５０は、図５（Ｅ）に示すように、ベースバンドと一致する第３の周波数帯域に周波数変換する。
【００８８】
このようにして、第２の実施例に係る直交復調部２００では、第３の周波数変換部２５０から出力される信号に基づいた検出部２７０による誤差信号の検出、数値制御発振器２６０による誤差信号に応じた第３の周波数変換部２５０で用いる信号の周波数の制御という順番でフィードバック制御系が構成されており、このフィードバック系に通過帯域外の周波数成分を遮断するフィルタ部２３０のフィルタリング処理が含まれていないので、フィードバック制御にかかる遅延を短くしつつ、検出された周波数誤差に応じてフィルタ部２３０に入力される信号の周波数帯域を通過帯域と一致するように制御することができる。したがって、直交復調部２００では、ＩＦ信号の周波数帯域のずれに追従して精度良く通過帯域外の周波数成分を遮断とともに送信クロックに同期したベースバンド信号を出力することができる。
【００８９】
また、第２の実施例に係る直交復調部２００では、通過帯域外の周波数成分を遮断するフィルタ部２３０が、固定実数係数フィルタで実現可能であるため、可変複素係数でフィルタを構成する場合に比べ，回路規模の増大を抑制することができる。
【００９０】
次に図６を参照して、第３の実施例に係る直交復調部３００について説明する。この直交復調部３００は、直交復調器３１０と、この直交復調器３１０で直交変換された信号の直交検波を行う処理部として、Ａ／Ｄ変換部３２０と、第１の周波数変換部３３０と、フィルタ部３４０と、第２の周波数変換部３５０と、第３の周波数変換部３６０と、数値制御発振器３７０と、検出部３８０とを備える。
【００９１】
直交復調器３１０は、アンテナ１１から供給されるＲＦ信号を直交復調して、Ｉ軸成分とＱ軸成分とからなるベースバンド信号に変換するため、局部発振器（Local Oscillator: ＬＯ）３１１と、９０度移相器３１２と、周波数変換器３１３、３１４とを備える。
【００９２】
局部発振器３１１は、ＩＦ信号をベースバンド信号に周波数変換するための信号を発振して、発振した信号を９０度移相器３１２及び周波数変換器３１３に供給する。
【００９３】
９０度移相器３１２は、局部発振器３１１により発振された信号を９０度移相して周波数変換器３１４に供給する。
【００９４】
周波数変換器３１３は、ＩＦ信号に局部発振器３１１により発振される信号を合成してＩ軸成分のベースバンド信号を出力する。
【００９５】
周波数変換器３１４は、ＩＦ信号に９０度移相器３１２により出力される信号を合成してＱ軸成分のベースバンド信号を出力する。
【００９６】
Ａ／Ｄ変換部３２０は、直交復調器３１０から供給されるベースバンド信号をサンプリングしてデジタルのベースバンド信号に変換する。具体的に、Ａ／Ｄ変換部３２０は、Ｉ軸成分をデジタル信号に変換するＡ／Ｄ変換器３２１と、Ｑ軸成分をデジタル信号に変換するＡ／Ｄ変換器３２２とを備える。Ａ／Ｄ変換部３２０は、Ａ／Ｄ変換器３２１、３２２でデジタル信号に変換したＩ軸成分及びＱ軸成分からなるベースバンド信号を第１の周波数変換部３３０に供給する。なお、直交復調器３１０から出力されるベースバンド信号は、ＩＦ変換部１２の局部発振器１２ａ及び局部発振器３１１の発振誤差により、正確にフィルタ部３４０の通過帯域に一致しない周波数帯域に周波数変換されているものとする。
【００９７】
第１の周波数変換部３３０は、Ａ／Ｄ変換部３２０から供給されるベースバンド信号を第１の周波数帯域の信号に変換する処理部であって、数値制御発振器３３１と、周波数変換器３３２とを備えている。また、第１の周波数変換部３３０では、検出部３８０から供給される誤差信号に応じて、フィルタ部３４０の通過帯域と一致する第１の周波数帯域の信号を出力するため、数値制御発振器３３１及び周波数変換器３３２とが次のように動作する。
【００９８】
数値制御発振器３３１は、検出部３８０から出力された誤差信号に応じて発振周波数を制御して信号を発振する。そして、数値制御発振器３３１は、発振した信号を周波数変換器３３２に出力する。
【００９９】
周波数変換器３３２は、数値制御発振器３３１で発振された信号を用いて、直交復調器３１０によって復調されたベースバンド信号を、フィルタ部３４０の通過帯域と一致する第１の周波数帯域の信号に周波数変換する。
【０１００】
フィルタ部３４０は、第１の周波数変換部３３０から出力される第１の周波数帯域の信号に対して、隣接チャンネルの信号成分を遮断するためベースバンドを通過帯域とし、この通過帯域外の周波数成分を遮断して、第２の周波数変換部３５０に供給する。具体的に、フィルタ部３４０は、第１の周波数帯域の信号のうち、Ｉ軸成分に対してフィルタ処理を施すローパスフィルタ３４１と、Ｑ軸成分に対してフィルタ処理を施すローパスフィルタ３４２とを備える。
【０１０１】
第２の周波数変換部３５０は、フィルタ部３４０から供給される通過帯域外の周波数成分が遮断された信号を、第１の周波数帯域から第２の周波数帯域すなわち、ベースバンドに対して誤差信号が示す誤差周波数分高い周波数帯域に周波数変換して、第３の周波数変換部３６０に供給する。具体的に、第２の周波数変換部３５０は、フィルタ部３４０のフィルタ処理にかかる遅延時間分遅延させた誤差信号に応じて制御され、フィルタ部３４０により通過帯域外の周波数成分が遮断された信号を、第１の周波数変換部３３０により通過帯域と一致するように制御された第１の周波数帯域から第２の周波数帯域に周波数変換するため、遅延器３５１と乗算器３５２と数値制御発振器３５３と周波数変換器３５４とを備える。
【０１０２】
遅延器３５１は、検出部３８０から出力された誤差信号をフィルタ部３４０の処理にかかる遅延時間分遅延させて、乗算器３５２に供給する。
【０１０３】
乗算器３５２は、第１の周波数帯域に対して誤差信号が示す誤差周波数分高い周波数帯域に周波数変換するため、遅延器２４１から供給される誤差信号が示す周波数の値に（−１）を乗じて、この乗算処理を施した周波数を示す誤差信号を数値制御発振器３５３に供給する。
【０１０４】
数値制御発振器３５３は、乗算器３５２から供給される誤差信号に応じて周波数を制御した信号を発振する。そして、数値制御発振器３５３は、発振した信号を周波数変換器３５４に供給する。
【０１０５】
周波数変換器３５４は、数値制御発振器３５３で発振された信号を用いて、フィルタ部３４０により通過帯域外の周波数成分が遮断された信号を、第１の周波数帯域に対して誤差信号が示す誤差周波数分高い周波数帯域と一致する第２の周波数帯域の信号に周波数変換して第３の周波数変換部３６０に供給する。
【０１０６】
第３の周波数変換部３６０は、第２の周波数変換部３５０により周波数変換された第２の周波数帯域の信号を、上述したフィルタ部３４０に係る通過帯域と一致する周波数帯域の信号に変換する。
【０１０７】
具体的に、第３の周波数変換部３６０は、後述する数値制御発振器３７０により発振された信号を用いて、第２の周波数変換部３５０により周波数変換された第２の周波数帯域の信号を、フィルタ部３４０に係る通過帯域と一致する第３の周波数帯域の信号に周波数変換する。そして第３の周波数変換部３６０は、第３の周波数帯域の信号を、検出部３８０及びクロック同期部１４に供給する。
【０１０８】
数値制御発振器３７０は、第３の周波数変換部３６０が周波数変換するために用いる信号を発振する発振器である。具体的に、数値制御発振器３７０は、検出部３８０により出力された誤差信号に応じて制御され、第２の周波数帯域を通過帯域と一致する周波数帯域に周波数変換するために用いる信号を発振する。
【０１０９】
検出部３８０は、数値制御発振器３７０が発振する信号の発振周波数と、第２の周波数帯域からフィルタ部３４０に係る通過帯域と一致する周波数帯域に周波数変換するために用いる信号の周波数との誤差を検出して、この誤差を示す誤差信号を出力する。
【０１１０】
具体的に、検出部３８０では、周波数誤差を検出して誤差信号を出力するため、位相誤差検出器３８１とループフィルタ３８２とを備えている。
【０１１１】
位相誤差検出器３８１は、第３の周波数変換部３６０により周波数変換された第３の周波数帯域の信号で示される信号点とデジタル放送信号で送信された信号点との位相誤差を検出する。そして、位相誤差検出器３８１は、この検出結果をループフィルタ３８２に供給する。
【０１１２】
ループフィルタ３８２は、位相誤差検出器３８１による検出結果をフィルタリングして誤差信号を出力する。
【０１１３】
以上のような構成からなる第３の実施例に係る直交復調部３００では、図７に示すような処理を行うことによって、仮に直交復調器３１０によって復調されたベースバンド信号の周波数帯域がフィルタ部３４０の通過帯域とずれていても、検出部３８０で検出された周波数誤差に応じてフィルタ部３４０に入力される信号の周波数帯域を通過帯域と一致するように制御するため、直交復調器３１０で周波数変換されたベースバンド信号の周波数帯域のずれに追従して精度良く通過帯域外の周波数成分を遮断することができる。
【０１１４】
まず、第３の実施例に係る直交復調部３００では、図７（Ａ）に示すような周波数誤差を含むベースバンド信号が第１の周波数変換部３３０に供給される。ここで、図７（Ａ）に示すように、ベースバンド信号は、周波数誤差Δｆ分帯域がずれているものとする。なお、図７の斜線で示される帯域は所望とする受信チャンネルの信号成分が含まれる周波数帯域である。
【０１１５】
直交復調部３００では、検出部３８０が、この周波数誤差Δｆを検出して、周波数誤差Δｆを示す誤差信号を出力することで、下記の処理が実現される。
【０１１６】
このような周波数誤差Δｆ分帯域がずれているベースバンド信号が供給される第１の周波数変換部３３０では、数値制御発振器３３１が誤差信号が示す情報に応じて発振周波数が−Δｆの信号を発振し、この発振した信号を用いて周波数変換器３３２がフィルタ部３４０に係る通過帯域と一致する第１の周波数帯域に周波数変換する。
【０１１７】
続いて、フィルタ部３４０は、第１の周波数変換部３３０によってベースバンドと一致するように周波数変換された第１の周波数帯域の信号に対して、図７（Ｃ）の点線で示される通過帯域外の周波数成分を遮断する。
【０１１８】
続いて、第２の周波数変換部３５０は、数値制御発振器３５３が誤差信号が示す情報に応じて発振周波数がΔｆの信号を発振して、図７（Ｄ）に示すように、この信号を用いて周波数変換器３５４がベースバンドに対してΔｆ分高い周波数帯域と一致する第２の周波数帯域の信号に周波数変換する。
【０１１９】
続いて、数値制御発振器３７０は、誤差信号に応じて発振周波数が−Δｆの信号を発振する。そして、この発振した信号を用いて、第３の周波数変換部３６０は、図７（Ｆ）に示すように、ベースバンドと一致する第３の周波数帯域に周波数変換する。
【０１２０】
このようにして、第３の実施例に係る直交復調部３００では、第３の周波数変換部３６０から出力される信号に基づいた検出部３８０による誤差信号の検出、数値制御発振器３７０による誤差信号に応じた第３の周波数変換部３６０で用いる信号の周波数の制御という順番でフィードバック系が構成されており、このフィードバック系に通過帯域外の周波数成分を遮断するフィルタ部３４０のフィルタリング処理が含まれていないので、フィードバック制御にかかる遅延を短くしつつ、検出された周波数誤差に応じてフィルタ部３４０に入力される信号の周波数帯域を通過帯域と一致するように制御することができる。したがって、直交復調部３００では、直交復調器３１０によって直交復調されたベースバンド信号の周波数帯域のずれに追従して精度良く通過帯域外の周波数成分を遮断することができる。
【０１２１】
また、第３の実施例に係る直交復調部３００では、通過帯域外の周波数成分を遮断するフィルタ部３４０が、固定実数係数フィルタで実現可能であるため、可変複素係数でフィルタを構成する場合に比べ，回路規模の増大を抑制することができる。
【０１２２】
なお、本発明は、以上の実施形態のみに限定されるものではなく、本発明の要旨を逸脱しない範囲内において種々の変更が可能であることは勿論である。
【図面の簡単な説明】
【０１２３】
【図１】本発明が適用されたデジタル放送受信装置の全体構成を示すブロック図である。
【図２】第１の実施例に係る直交復調部の構成を示すブロック図である。
【図３】第１の実施例に係る直交復調部による処理を説明するために供する図である。
【図４】第２の実施例に係る直交復調部の構成を示すブロック図である。
【図５】第２の実施例に係る直交復調部による処理を説明するために供する図である。
【図６】第３の実施例に係る直交復調部の構成を示すブロック図である。
【図７】第３の実施例に係る直交復調部による処理を説明するために供する図である。
【符号の説明】
【０１２４】
１  デジタル放送受信装置、１１  アンテナ、１２  ＩＦ変換部、１２ａ、３１１  局部発振器、１３、２００、３００  直交復調部、１４、２５１  クロック同期部、１５  波形等化器、１６  誤り訂正部、１７  復号処理部、１１０、２１０、３２０  Ａ／Ｄ変換部、１２０、２２０、３３０  第１の周波数変換部、１２１、１４３、１６０、２２１、２４３、２６０、３３１、３５３、３７０  数値制御発振器、１２２、１５１、２２２、３１０  直交復調器、１３０、２３０、３４０  フィルタ部、１３１、１３２、２３１、２３２、３４１、３４２  ローパスフィルタ、１４０、２４０、３５０  第２の周波数変換部、１４１、２４１、３５１  遅延器、１４２、２４２、３５２  乗算器、１４４  直交変調器、１５０、２５０、３６０  第３の周波数変換部、１５２、２４４、２５２、３１３、３１４、３３２、３５４  周波数変換器、１７０、２７０、３８０  検出部、１７１、２７１、３８１  位相誤差検出器、１７２、２７２、３８２  ループフィルタ、１８０、２８０  加算器、３１２  ９０度移相器、３２１、３２２  Ａ／Ｄ変換器
【図１】
2009105558.tif 000003
【図２】
2009105558.tif 000004
【図３】
2009105558.tif 000005
【図４】
2009105558.tif 000006
【図５】
2009105558.tif 000007
【図６】
2009105558.tif 000008
【図７】
2009105558.tif 000009